(57)【要約】【課題】ユーザの好みに応じてアプリケーションの起動等の操作を簡易かつ直感的に行うことができる携帯電子機器を提供すること。【解決手段】アプリケーション実行部２０１と、操作キー群１１と回転ダイヤル部４１とを有する操作部２０２と、操作部２０２による操作に伴う各種処理を制御する操作制御部２０３と、を備える。操作制御部２０３は、アプリケーション実行部２０１により所定のアプリケーションが実行されているときに、回転ダイヤル部４１の複数の設定位置に所定のアプリケーションに関する処理機能を割り当てる。アプリケーション実行部２０１は、所定のアプリケーションが実行されているときに、操作キー群１１による入力が検出されると、回転ダイヤル部４１の所定の設定位置に割り当てられている処理機能を実行する。【選択図】図６
2010056972.tif 000002
【特許請求の範囲】
【請求項１】
アプリケーション実行部と、
入力操作部と外部操作部とを有する操作手段と、
前記操作手段による操作に伴う各種処理を制御する操作制御手段と、を備え、
前記操作制御手段は、前記アプリケーション実行部により所定のアプリケーションが実行されているときに、前記外部操作部の複数の設定位置に前記所定のアプリケーションに関する処理機能を割り当て、
前記アプリケーション実行部は、前記所定のアプリケーションが実行されているときに、前記入力操作部による入力が検出されると、前記外部操作部の所定の設定位置に割り当てられている処理機能を実行することを特徴とする携帯電子機器。
【請求項２】
表示部を制御する表示制御部を備え、
前記表示制御部は、前記アプリケーション実行部により所定のアプリケーションが実行されているときに、前記外部操作部に割り当てられている処理機能に関する情報を前記表示部に表示することを特徴とする請求項１に記載の携帯電子機器。
【請求項３】
前記外部操作部は、外面に前記所定のアプリケーションに対して割り当てられている処理機能に関する情報が表示されていることを特徴とする請求項１又は請求項２に記載の携帯電子機器。
【請求項４】
表示部を備え、
前記操作制御手段は、前記所定のアプリケーションの実行時に前記表示部に表示される画像に対する処理機能を前記外部操作部の前記設定位置に割り当てることを特徴とする請求項１に記載の携帯電子機器。
【請求項５】
通信部を備え、
前記操作制御手段は、前記所定のアプリケーションが実行され、所定の通信相手に関する情報が選択された場合、前記所定の通信相手に対して前記通信部により行われる通信処理に関する処理機能を前記外部操作部の前記設定位置に割り当てることを特徴とする請求項１に記載の携帯電子機器。
【請求項６】
前記操作制御手段は、文字入力に関するアプリケーションが実行されているとき、文字入力に関する処理機能を前記外部操作部の前記設定位置に割り当てることを特徴とする請求項１に記載の携帯電子機器。
【請求項７】
前記操作制御手段は、前記アプリケーション実行部により所定のアプリケーションが実行されているときに、保存されていないデータが取り扱われている場合、当該データの保存処理に関する処理機能を前記外部操作部の前記設定位置に割り当てることを特徴とする請求項１に記載の携帯電子機器。
【請求項８】
前記操作制御手段は、前記アプリケーション実行部により所定のアプリケーションが実行され、保存されているデータが取り扱われている場合、当該データの活用処理に関する処理機能を前記外部操作部の前記設定位置に割り当てることを特徴とする請求項１に記載の携帯電子機器。
【請求項９】
前記操作制御手段は、前記アプリケーション実行部により所定のアプリケーションが実行され、画像データが取り扱われている場合、当該画像データの画像編集処理に関する処理機能を前記外部操作部の前記設定位置に割り当てることを特徴とする請求項１に記載の携帯電子機器。
【発明の詳細な説明】
【技術分野】
【０００１】
本発明は、外部操作部を有する携帯電子機器に関する。
【背景技術】
【０００２】
携帯電話機において、より直感的なユーザインターフェースが要求されている。ここで、ヒンジ部を有するフォルダタイプの携帯電話機において、ヒンジ部にボリューム切り替え等に用いる回転ダイヤルを設けたものが知られている（例えば、特許文献１を参照。）。
【０００３】
また、携帯電話機は、通信・通話の機能のみならずテレビやラジオを視聴する機能も搭載されており、多機能化されている。ここで、携帯電話機においては、テレビ視聴機能等の機能が選択されていない場合には、通信・通話の待受画面がトップ画面として表示される。そして、ユーザが所定の操作を行うことにより、当該待受画面から他の機能を選択するメニュー選択画面に移行するとともに、当該選択メニュー画面においてユーザが所定の操作を行うことにより所望する機能の選択を行うことができる。
【特許文献１】特開平６−９０２００号公報
【発明の開示】
【発明が解決しようとする課題】
【０００４】
しかし、当該メニュー選択画面には、多数の項目からなる選択メニューが表示されるため、例えば、操作に不慣れなユーザにとっては、このようなメニュー選択画面は使用上の抵抗を感じるものである。
【０００５】
また、任意のアプリケーションが起動しているときに、各種メニュー項目を選択する場合には、ソフトキー（いわゆるテンキー）の操作等によりメニュー機能を立ち上げてから操作する必要があり、操作性が悪かった。
【０００６】
本発明では、上述のような課題に鑑みてなされたものであり、その目的の一つは、外部操作部を備えることにより、ユーザの好みに応じて実行されているアプリケーションに対する操作を簡易かつ直感的に行うことができる携帯電子機器を提供することにある。
【課題を解決するための手段】
【０００７】
本発明に係る携帯電子機器は、上記課題を解決するために、アプリケーション実行部と、入力操作部と外部操作部とを有する操作手段と、前記操作手段による操作に伴う各種処理を制御する操作制御手段と、を備え、前記操作制御手段は、前記アプリケーション実行部により所定のアプリケーションが実行されているときに、前記外部操作部の複数の設定位置に前記所定のアプリケーションに関する処理機能を割り当て、前記アプリケーション実行部は、前記所定のアプリケーションが実行されているときに、前記入力操作部による入力が検出されると、前記外部操作部の所定の設定位置に割り当てられている前記処理機能を実行することを特徴とする。
【０００８】
また、上記携帯電子機器では、表示部を制御する表示制御部を備え、前記表示制御部は、前記アプリケーション実行部により所定のアプリケーションが実行されているときに、前記外部操作部に割り当てられている処理機能に関する情報を前記表示部に表示することが好ましい。
【０００９】
また、上記携帯電子機器では、前記外部操作部は、外面に前記所定のアプリケーションに対して割り当てられている処理機能に関する情報が表示されていることが好ましい。
【００１０】
また、上記携帯電子機器では、表示部を備え、前記操作制御手段は、前記所定のアプリケーションの実行時に前記表示部に表示される画像に対する処理機能を前記外部操作部の前記設定位置に割り当てることが好ましい。
【００１１】
また、上記携帯電子機器では、通信部を備え、前記操作制御手段は、前記所定のアプリケーションが実行され、所定の通信相手に関する情報が選択された場合、前記所定の通信相手に対して前記通信部により行われる通信処理に関する処理機能を前記外部操作部の前記設定位置に割り当てることが好ましい。
【００１２】
また、上記携帯電子機器では、前記操作制御手段は、文字入力に関するアプリケーションが実行されているとき、文字入力に関する処理機能を前記外部操作部の前記設定位置に割り当てることが好ましい。
【００１３】
また、上記携帯電子機器では、前記操作制御手段は、前記アプリケーション実行部により所定のアプリケーションが実行されているときに、保存されていないデータが取り扱われている場合、当該データの保存処理に関する処理機能を前記外部操作部の前記設定位置に割り当てることが好ましい。
【００１４】
また、上記携帯電子機器では、前記操作制御手段は、前記アプリケーション実行部により所定のアプリケーションが実行され、保存されているデータが取り扱われている場合、当該データの活用処理に関する処理機能を前記外部操作部の前記設定位置に割り当てることが好ましい。
【００１５】
また、上記携帯電子機器では、操作制御手段は、前記アプリケーション実行部により所定のアプリケーションが実行され、画像データが取り扱われている場合、当該画像データの画像編集処理に関する処理機能を前記外部操作部の前記設定位置に割り当てることが好ましい。
【発明の効果】
【００１６】
本発明によれば、ユーザの好みに応じて実行されているアプリケーションに対する操作を簡易かつ直感的に行うことができる。
【発明を実施するための最良の形態】
【００１７】
以下、本発明の実施の形態について説明する。図１は、本発明に係る携帯電子機器の一例である携帯電話機１の外観斜視図を示す。また、図２は、携帯電話機１の閉状態における表示部側筐体部３から見たときの外観図を示す。また、図３は、携帯電話機１の閉状態における操作部側筐体部２から見たときの外観図を示す。また、図４は、外部操作部としての回転ダイヤル部付近の拡大図を示す。また、図５は、回転ダイヤル部の機能を示す図である。なお、以下では、携帯電話機について説明するが、本発明はこれに限定されるものではなく、回転ダイヤル部等の外部操作部を有するものであり、なおかつ複数のアプリケーションを独立して起動可能であれば良く、例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００１８】
携帯電話機１は、図１に示すように、操作部側筐体部２と、表示部側筐体部３と、を備えて構成される。操作部側筐体部２は、表面部１０に、操作キー群１１と、携帯電話機１の使用者が通話時に発した音声が入力されるマイク１２と、を備えて構成される。操作キー群１１は、機能設定操作ボタン１３と、入力操作ボタン１４と、決定操作ボタン１５と、コントロールボタン１６と、から構成されている。機能設定操作ボタン１３は、各種設定や電話帳機能やメール機能等の各種機能を動作させるためのボタンである。入力操作ボタン１４は、電話番号の数字やメール等の文字等を入力するためのボタンである。決定操作ボタン１５は、各種操作における決定やスクロール等を行うボタンである。コントロールボタン１６は、ボリュームコントロール等を行うボタンである。
【００１９】
また、表示部側筐体部３は、表面部２０に、各種情報を表示するためのディスプレイ２１と、通話の相手側の音声を出力する音声出力部２２と、を備えて構成されている。
【００２０】
また、操作部側筐体部２の上端部と表示部側筐体部３の下端部とは、ヒンジ機構４を介して連結されている。また、携帯電話機１は、ヒンジ機構４を介して連結された操作部側筐体部２と表示部側筐体部３とを相対的に回転することにより、操作部側筐体部２と表示部側筐体部３とが互いに開いた状態（開状態）にしたり、操作部側筐体部２と表示部側筐体部３とが折り畳まれた状態（閉状態）にしたりできる。
【００２１】
なお、図１は、いわゆる折り畳み型の携帯電話機１の形態を示しているが、本発明に係る携帯電話機１の形態としては特にこれに限られず、操作部側筐体部２と表示部側筐体部３とを重ね合わせた状態から一方の筐体を一方向にスライドさせるようにしたスライド式や、操作部側筐体部２と表示部側筐体部３との重ね合せ方向に沿う軸線を中心に一方の筐体を回転させるようにした回転式（ターンタイプ）や、操作部側筐体部２と表示部側筐体部３とが一つの筐体に配置され連結部を有さない型式（ストレートタイプ）等であっても良い。
【００２２】
また、ヒンジ機構４が形成されている位置には、所定方向に自在に回転するように筐体に取り付けられている外部操作部としての回転ダイヤル部４１を備えている。なお、回転ダイヤル部４１の操作及び機能については後述する。また、外部操作部は、回転ダイヤル部４１以外の構成であっても良く、入力操作、選択操作や決定操作を行うための入力操作ボタン１４や決定操作ボタン１５とは別個に配置されて、筐体の外側に配置されるように構成されていれば良い。
【００２３】
また、携帯電話機１は、図２に示すように、表示部側筐体部３のディスプレイ２１が配置されている裏面側には、所定の情報が表示されるサブディスプレイ２３を備えている。
【００２４】
また、携帯電話機１は、図３に示すように、操作部側筐体部２の操作キー群１１が配置されている裏面側には、被写体を撮影するＣＣＤ（Ｃｈａｒｇｅ  Ｃｏｕｐｌｅｄ  Ｄｅｖｉｃｅ）カメラ等により構成される撮影部１７と、一定の光量を出力する発光部１８とを備えている。
【００２５】
ここで、回転ダイヤル部４１の操作及び機能について説明する。回転ダイヤル部４１は、図４に示すように、ヒンジ機構４の回転軸Ｘに沿って、ユーザの指により所定方向（図２中のａ方向（ヒンジ機構４の回転軸と直交する第１の方向）及びｂ方向（ヒンジ機構４の回転軸と直交する第２の方向））に自在に回転するように筐体に取り付けられている。なお、回転ダイヤル部４１は、図４に示すような構成に限定されず、ユーザの操作によって回転自在な構成であれば良く、回転軸（ヒンジ軸）Ｘと直交する方向の軸に沿って所定方向に自在に回転するような構成等であっても良い。
【００２６】
また、回転ダイヤル部４１には、回転方向において所定の間隔ごとに複数の指標（アイコン）Ｉが付されている。なお、指標Ｉは、例えば、図５に示すように、アプリケーションを選択する際の目印になるようなユーザにとって理解しやすいイメージによって描かれている。
【００２７】
ここで、ユーザによる回転ダイヤル部４１の操作について簡略的に説明する。ユーザは、当該指標Ｉを手掛かりとして、所望するアプリケーションに対応する指標Ｉをヒンジ機構４のケース外面にマーク等で示されている選択位置（目印）Ｓまで回転させる。携帯電話機１は、選択位置Ｓ（目印）に静止している指標Ｉに対応するアプリケーションを起動させる。このようにして、回転ダイヤル部４１は、物理的な回転ダイヤルの操作により、各種の機能を発揮するメニュー選択を可能とする。
【００２８】
また、回転ダイヤル部４１は、物理的な回転ダイヤルの操作にしたがって、各種の機能を発揮するメニュー選択が可能である。回転ダイヤル部４１は、例えば、図５に示すように、ユーザの回転操作によって、無操作時（ニュートラル（Ｎ））を基準として、ａ方向に４５°（ｂ方向に３１５°）回転されることにより、撮影部１７のカメラ機能が起動し、ａ方向に９０°（ｂ方向に２７０°）回転されることにより、メールの機能が起動する。また、回転ダイヤル部４１は、無操作時（（Ｎ））を基準として、ａ方向に１３５°（ｂ方向に２２５°）回転されることにより、カレンダー機能が起動し、ａ方向に１８０°（ｂ方向に１８０°）回転されることにより、ツールメニュー（携帯電話機１における音出力等に関する各種の設定を行うメニュー）が起動する。また、回転ダイヤル部４１は、無操作時（（Ｎ））を基準として、ａ方向に２２５°（ｂ方向に１３５°）回転されることにより、テレビ機能が起動し、ａ方向に２７０°（ｂ方向に９０°）回転されることにより、データフォルダが起動し、ａ方向に３１５°（ｂ方向に４５°）回転されることにより、アドレス帳が起動する。
【００２９】
なお、上述した回転ダイヤル部４１の回転角度に応じて割り当てられているメニューは一例であって、これに限定されることは無く、例えば、ユーザ自身が頻繁に使用するメニューを登録可能な構成であっても良いし、また、所望のＷｅｂアドレスを登録しておき、当該Ｗｅｂアドレスを回転ダイヤル部４１により選択することによって、Ｗｅｂブラウザが起動して当該ＷｅｂアドレスのＷｅｂページを閲覧できるような構成であっても良い。また、メニューの数も上述した数（７つ）に限定されるものではない。
【００３０】
また、ユーザは、回転ダイヤル部４１を直接操作することにより、一定条件下において、回転ダイヤル部４１に割り当てられている各種機能を直接的に起動させることができ、従来のようにメインメニューを経由する必要がなく、簡易に所望するアプリケーションを起動することができる。
【００３１】
また、図６は、携帯電話機１の機能を示す機能ブロック図である。携帯電話機１は、図６に示すように、表示部として閉状態にて外部に露出しないディスプレイ２１と、閉状態でも外部に露出するサブディスプレイ２３とを備える。さらに、ユーザの操作により回転される回転ダイヤル部４１と、外部の端末と通信を行う通信部６０と、所定の処理を行う処理部７０と、所定容量を有する充電池８０と、充電池８０から供給される電源電圧を所定の電圧に変換し、変換後の電圧を通信部６０や処理部７０等に供給する電源回路部９０と、テーブル１０１を有する記憶部１００と、を備えている。
【００３２】
通信部６０は、所定の使用周波数帯により外部装置と通信を行うメインアンテナ６１と、変調処理又は復調処理等の信号処理を行う通信処理部６２と、を備える。
【００３３】
メインアンテナ６１は、所定の使用周波数帯（例えば、８００ＭＨｚ）で外部装置（基地局）と通信を行う。なお、本実施の形態では、所定の使用周波数帯として、８００ＭＨｚとしたが、これ以外の周波数帯であっても良い。また、メインアンテナ６１は、所定の使用周波数帯の他に、第２の使用周波数帯（例えば、２ＧＨｚ）に対応できる、いわゆるデュアルバンド対応型による構成であっても良いし、さらに、第３の使用周波数帯以上にも対応できる複数バンド対応型により構成されていても良い。
【００３４】
通信処理部６２は、メインアンテナ６１によって受信した信号を復調処理し、処理後の信号を処理部７０に供給し、一方、処理部７０から供給された信号を変調処理し、メインアンテナ６１を介して外部装置（基地局）に送信する。
【００３５】
電源回路部９０は、充電池８０から供給される電源電圧を所定の電圧値に変圧し、変圧後の電源電圧を通信部６０や処理部７０等に供給する。
【００３６】
記憶部１００は、処理部７０にて実行される多数のプログラム及びパラメータや各種テーブル等が記憶される。具体的には、記憶部１００は、処理部７０にて起動、終了、中断等がなされる多数のアプリケーションプログラムや、これら複数のアプリケーションにて使用されるパラメータや、複数のアプリケーションプログラムを動作させるためのＯＳ（Ｏｐｅｒａｔｉｎｇ  Ｓｙｓｔｅｍ）プログラムの他、回転検出部７１にて検出される回転量と複数のアプリケーションとの対応関係（図５を参照。）、さらには閉状態でも起動可能なアプリケーションで有るか否かを示すテーブル１１０を記憶している。なお、複数のアプリケーションプログラムには、基準アプリケーション、画像再生用アプリケーション、カメラ、メール等の携帯電話機１が有するアプリケーションごとのアプリケーションプログラムが含まれる。
【００３７】
処理部７０は、回転ダイヤル部４１から供給される回転量に応じて各種機能に対する起動処理を行う。ここで、処理部７０の構成と動作について説明する。処理部７０は、回転ダイヤル部４１の回転量を検出し、検出された回転量に応じた所定のアプリケーションを起動し、当該起動した所定のアプリケーションに対応する表示画面をディスプレイ２１に表示するように制御する。なお、本実施例では、回転ダイヤル部４１の角度の変化量を回転量として検出しているが、これに限られず、回転ダイヤル部４１の回転に応じた変化を検出できれば良く、例えば、抵抗率の変化等を回転量として検出しても良い。または、回転ダイヤル部４１の回転位置（又は回転角度）を検出し、検出された回転位置に応じて制御するようにしても良い。
【００３８】
また、処理部７０は、回転ダイヤル部４１の回転が生じる都度、記憶部１００のアプリケーション対応関係のテーブル１１０を参照し、回転量に応じたアプリケーションを特定している。なお、テーブル１１０は、複数のテーブルを有しており、詳細は後述するが、処理部７０は、現在選択されているアプリケーションに応じて、適宜、参照するテーブルを変更する。
【００３９】
処理部７０は、携帯電話機１の主電源がＯＮ状態されると、まずＯＳプログラムを立ち上げ、ＯＳ管理下で基準アプリケーションプログラムを起動することでディスプレイ２１に通信の待受画面を表示するように制御する。その後、処理部７０は、起動するアプリケーションが発生する都度、ＯＳ管理下で基準アプリケーションプログラムを終了あるいは中断して新たなアプリケーションプログラムを起動する制御を行う。この処理により、処理部７０は、ディスプレイ２１上に、待受画面に代えて新たに起動したアプリケーションに基づく画面を表示させる制御を行う。なお、処理部７０は、起動していたアプリケーションプログラムが基準アプリケーションプログラムではなく、他のアプリケーションプログラムであった場合においても同様に、起動していたアプリケーションプログラムを終了あるいは中断して新たなアプリケーションプログラムを起動する。そして、処理部７０は、以前のアプリケーションプログラムに基づく画面から新たなアプリケーションプログラムに基づく画面に変更するよう制御する。
【００４０】
このように構成される携帯電話機１では、待受画面が表示されている状態において、回転ダイヤル部４１が回転操作されて所定のアプリケーションが選択され、起動された後、当該アプリケーションに係るメニューの選択を回転ダイヤル部４１の回転操作により実行する機能を有している。
【００４１】
ここで、上述した機能を発揮するための構成について機能的に説明する。携帯電話機１は、図６に示すように、アプリケーション実行部２０１と、操作部２０２（操作手段）と、操作制御部２０３（操作制御手段）と、を備える。なお、アプリケーション実行部２０１と、操作制御部２０３とは、処理部７０に相当する。
【００４２】
また、操作部２０２は、操作キー群１１（入力操作部）と回転ダイヤル部４１（外部操作部）とを有する。操作制御部２０３は、操作部２０２による操作に伴う各種処理を制御する。操作制御部２０３は、アプリケーション実行部２０１により所定のアプリケーションが実行されているときに、回転ダイヤル部４１の複数の設定位置に所定のアプリケーションに関する処理機能を割り当てる。アプリケーション実行部２０１は、所定のアプリケーションが実行されているときに、操作キー群１１による入力が検出されると、回転ダイヤル部４１の所定の設定位置に割り当てられている処理機能を実行する。
【００４３】
このように構成されることにより、携帯電話機１は、回転ダイヤル部４１を備えることにより、ユーザの好みに応じてアプリケーションの起動等の操作を簡易かつ直感的に行うことができる。
【００４４】
また、携帯電話機１は、ディスプレイ２１（表示部）を制御する表示制御部２０４を備える。表示制御部２０４は、アプリケーション実行部２０１により所定のアプリケーションが実行されているときに、回転ダイヤル部４１に割り当てられている処理機能に関する情報をディスプレイ２１に表示することが好ましい。なお、表示制御部２０４は、処理部７０に相当する。また、回転ダイヤル部４１の各設定位置に割り当てられている処理機能に関する情報（メニュー項目）をディスプレイ２１に表示する際には、選択位置Ｓに合わせられている設定位置に応じた処理機能を強調表示する等して、選択されていて実行可能な処理機能を容易に認識できるようにするのが好ましい。
【００４５】
このように構成されることにより、携帯電話機１では、回転ダイヤル部４１をどの方向に操作し、どの位置で停止させれば、所望する機能を実行させることができるのか、をユーザに対して簡易に認識させることができ、ユーザビリティの向上につながる。
【００４６】
また、携帯電話機１では、回転ダイヤル部４１は、外面に所定のアプリケーションに対して割り当てられている処理機能に関する情報が表示されていることが好ましい。
【００４７】
このように構成されることにより、携帯電話機１では、回転ダイヤル部４１をどの方向に操作し、どの位置で停止させれば、所望する機能を実行させることができるのか、をユーザに対して簡易に認識させることができ、ユーザビリティの向上につながる。
【００４８】
また、携帯電話機１では、操作制御部２０３は、所定のアプリケーションの実行時にディスプレイ２１に表示される画像に対する理機能を回転ダイヤル部４１の各設定位置に割り当てることが好ましい。
【００４９】
このように構成されることにより、携帯電話機１では、回転ダイヤル部４１をどの方向に操作し、どの位置で停止させれば、所望する機能を実行させることができるのか、をユーザに対して簡易に認識させることができ、ユーザビリティの向上につながる。
【００５０】
また、携帯電話機１では、操作制御部２０３は、所定のアプリケーションが実行され、所定の通信相手に関する情報が選択された場合、所定の通信相手に対して通信部６０により行われる通信処理に関する処理機能を回転ダイヤル部４１の各設定位置に割り当てることが好ましい。
【００５１】
このように構成されることにより、携帯電話機１では、回転ダイヤル部４１をどの方向に操作し、どの位置で停止させれば、所望する機能を実行させることができるのか、をユーザに対して簡易に認識させることができ、ユーザビリティの向上につながる。
【００５２】
また、携帯電話機１では、操作制御部２０３は、文字入力に関するアプリケーション（エディタ）が実行されているとき、文字入力に関する処理機能を回転ダイヤル部４１の設定位置に割り当てることが好ましい。
【００５３】
このように構成されることにより、携帯電話機１では、エディタにより文字列を作成中において、回転ダイヤル部４１を所定の方向に操作することにより、例えば、かな文字入力を数字入力に変更することができ、従来方法（操作キー群１１によりメニューキーを押下し、表示されるメニューの中から数字入力を選択する方法）に比して、簡易かつ容易に文字列の作成を行うことができる。
【００５４】
また、携帯電話機１では、操作制御部２０３は、アプリケーション実行部２０１により所定のアプリケーションが実行されているときに、保存されていないデータが取り扱われている場合、当該データの保存処理に関する処理機能を回転ダイヤル部４１の設定位置に割り当てることが好ましい。
【００５５】
このように構成されることにより、携帯電話機１では、回転ダイヤル部４１を回転操作することにより、簡易かつ容易にデータの保存処理を行うことができる。
【００５６】
また、携帯電話機１では、操作制御部２０３は、アプリケーション実行部２０１により所定のアプリケーションが実行され、保存されているデータが取り扱われている場合、当該データの活用処理に関する処理機能を回転ダイヤル部４１の設定位置に割り当てることが好ましい。
【００５７】
このように構成されることにより、携帯電話機１では、回転ダイヤル部４１を回転操作することにより、簡易かつ容易にデータの活用処理（例えば、他の端末へ送信する処理等）を行うことができる。
【００５８】
また、携帯電話機１では、操作制御部２０３は、アプリケーション実行部２０１により所定のアプリケーションが実行され、画像データが取り扱われている場合、当該画像データの画像編集処理に関する処理機能を回転ダイヤル部４１の設定位置に割り当てることが好ましい。
【００５９】
このように構成されることにより、携帯電話機１では、回転ダイヤル部４１を回転操作することにより、簡易かつ容易に画像データの画像編集処理（例えば、画像データの拡大・縮小等）を行うことができる。
【００６０】
ここで、回転ダイヤル部４１を用いて行われる各種のアプリケーション及びメニューの選択操作について、図７に示すフローチャートを参照しながら説明する。なお、以下では、通信の待ち受け状態（初期画面がディスプレイ２１に表示されている状態）においては、回転ダイヤル部４１は、図５に示すように、ユーザの回転操作によって、無操作時（ニュートラル（Ｎ））を基準として、ａ方向に４５°（ｂ方向に３１５°）回転されることにより、撮影部１７のカメラ機能が起動し、ａ方向に９０°（ｂ方向に２７０°）回転されることにより、メールの機能が起動する。また、回転ダイヤル部４１は、無操作時（（Ｎ））を基準として、ａ方向に１３５°（ｂ方向に２２５°）回転されることにより、カレンダー機能が起動し、ａ方向に１８０°（ｂ方向に１８０°）回転されることにより、ツールメニュー（携帯電話機１における音出力等に関する各種の設定を行うメニュー）が起動する。また、回転ダイヤル部４１は、無操作時（（Ｎ））を基準として、ａ方向に２２５°（ｂ方向に１３５°）回転されることにより、テレビ機能が起動し、ａ方向に２７０°（ｂ方向に９０°）回転されることにより、データフォルダが起動し、ａ方向に３１５°（ｂ方向に４５°）回転されることにより、アドレス帳が起動する。
【００６１】
ステップＳ１において、処理部７０は、待ち受け状態で回転ダイヤル部４１の回転動作を検出する。
【００６２】
ステップＳ２において、処理部７０は、ステップＳ１の工程による検出結果から、各種のアプリケーションが割り当てられている各種設定位置（ニュートラル（Ｎ）を除く）のいずれかが設定位置Ｓに合わせられるように回転ダイヤル部４１が回転されて任意のアプリケーションが選択されたか否かを判断する。アプリケーションが選択されていないと判断した場合（Ｎｏ）には、ステップＳ１に戻り、アプリケーションが選択されたと判断した場合（Ｙｅｓ）には、選択されたアプリケーションに応じてステップＳ３乃至９に進む。
【００６３】
ステップＳ２において、処理部７０は、回転ダイヤル部４１の回転角度が４５°であってカメラ機能が選択されたと判定されると、ステップＳ３に進み、カメラ機能を起動し、ステップＳ４に進む。
【００６４】
ステップＳ４において、処理部７０は、ステップＳ３の工程によりカメラ機能が起動されているときに、回転ダイヤル部４１が回転操作されたときには、カメラ機能における各種メニューの選択が可能になる。このようにして、処理部７０は、待受画面からカメラ機能が選択されたときには、回転ダイヤル部４１の回転操作に応じて、カメラ機能に対応したメニューが選択可能なように、回転ダイヤル部４１の回転角度に対応して発揮される機能や処理が示されているテーブルを適宜変更する。
【００６５】
また、ステップＳ２において、処理部７０は、回転ダイヤル部４１の回転角度が９０°であってメール機能が選択されたと判定されると、ステップＳ５に進み、メール機能を起動し、ステップＳ６に進む。
【００６６】
ステップＳ６において、処理部７０は、ステップＳ５の工程によりメール機能が起動されているときに、回転ダイヤル部４１が回転操作されたときには、メール機能における各種メニューの選択が可能になる。このようにして、処理部７０は、待受画面からメール機能が選択されたときには、回転ダイヤル部４１の回転操作に応じて、メール機能に対応したメニューが選択可能なように、回転ダイヤル部４１の回転角度に対応して発揮される機能や処理が示されているテーブルを適宜変更する。
【００６７】
また、ステップＳ２において、処理部７０は、回転ダイヤル部４１の回転角度が１３５°であってカレンダー機能が選択されたと判定されると、ステップＳ７に進み、カレンダー機能を起動し、ステップＳ８に進む。
【００６８】
ステップＳ８において、処理部７０は、ステップＳ５の工程によりカレンダー機能が起動されているときに、回転ダイヤル部４１が回転操作されたときには、カレンダー機能における各種メニューの選択が可能になる。このようにして、処理部７０は、待受画面からカレンダー機能が選択されたときには、回転ダイヤル部４１の回転操作に応じて、カレンダー機能に対応したメニューが選択可能なように、回転ダイヤル部４１の回転角度に対応して発揮される機能や処理が示されているテーブルを適宜変更する。
【００６９】
また、ステップＳ２において、処理部７０は、回転ダイヤル部４１の回転角度が１８０°であってツール機能が選択されたと判定されると、ステップＳ９に進み、ツール機能を起動し、ステップＳ１０に進む。
【００７０】
ステップＳ１０において、処理部７０は、ステップＳ５の工程によりツール機能が起動されているときに、回転ダイヤル部４１が回転操作されたときには、ツール機能における各種メニューの選択が可能になる。このようにして、処理部７０は、待受画面からツール機能が選択されたときには、回転ダイヤル部４１の回転操作に応じて、ツール機能に対応したメニューが選択可能なように、回転ダイヤル部４１の回転角度に対応して発揮される機能や処理が示されているテーブルを適宜変更する。
【００７１】
また、ステップＳ２において、処理部７０は、回転ダイヤル部４１の回転角度が２２５°であってテレビ機能が選択されたと判定されると、ステップＳ１１に進み、テレビ機能を起動し、ステップＳ１２に進む。
【００７２】
ステップＳ１２において、処理部７０は、ステップＳ５の工程によりテレビ機能が起動されているときに、回転ダイヤル部４１が回転操作されたときには、テレビ機能における各種メニューの選択が可能になる。このようにして、処理部７０は、待受画面からテレビ機能が選択されたときには、回転ダイヤル部４１の回転操作に応じて、テレビ機能に対応したメニューが選択可能なように、回転ダイヤル部４１の回転角度に対応して発揮される機能や処理が示されているテーブルを適宜変更する。
【００７３】
また、ステップＳ２において、処理部７０は、回転ダイヤル部４１の回転角度が２７０°であってデータフォルダ機能が選択されたと判定されると、ステップＳ１３に進み、データフォルダ機能を起動し、ステップＳ１４に進む。
【００７４】
ステップＳ１４において、処理部７０は、ステップＳ５の工程によりデータフォルダ機能が起動されているときに、回転ダイヤル部４１が回転操作されたときには、データフォルダ機能における各種メニューの選択が可能になる。このようにして、処理部７０は、待受画面からデータフォルダ機能が選択されたときには、回転ダイヤル部４１の回転操作に応じて、データフォルダ機能に対応したメニューが選択可能なように、回転ダイヤル部４１の回転角度に対応して発揮される機能や処理が示されているテーブルを適宜変更する。
【００７５】
また、ステップＳ２において、処理部７０は、回転ダイヤル部４１の回転角度が３１５°であってアドレス帳機能が選択されたと判定されると、ステップＳ１５に進み、アドレス帳機能を起動し、ステップＳ１６に進む。
【００７６】
ステップＳ１６において、処理部７０は、ステップＳ５の工程によりアドレス帳機能が起動されているときに、回転ダイヤル部４１が回転操作されたときには、アドレス帳機能における各種メニューの選択が可能になる。このようにして、処理部７０は、待受画面からアドレス帳機能が選択されたときには、回転ダイヤル部４１の回転操作に応じて、アドレス帳機能に対応したメニューが選択可能なように、回転ダイヤル部４１の回転角度に対応して発揮される機能や処理が示されているテーブルを適宜変更する。
【００７７】
＜ステップＳ４の工程の詳細動作＞
ここで、上述したステップＳ３及びＳ４の工程に応じて、カメラが起動されて、カメラ機能に関するアプリケーションが実行（起動）されているときに、回転ダイヤル部４１が回転動作されたときの処理部７０の詳細な動作について図８（ステップＳ１０１乃至ステップ１１２）を用いて説明する。
【００７８】
ステップＳ１０１において、処理部７０は、プレビューを開始する。
【００７９】
ステップＳ１０２において、処理部７０は、回転ダイヤル部４１の回転動作を検出する。
【００８０】
ステップＳ１０３において、処理部７０は、ステップＳ１０２の工程による検出結果から、回転ダイヤル部４１の各設定位置のいずれかが選択位置Ｓに合わせられて、メニューが選択されたか否かを判断する。メニューが選択されていないと判断した場合（Ｎｏ）には、ステップＳ１０２に戻り、メニューが選択されたと判断した場合（Ｙｅｓ）には、選択されたメニューに応じてステップＳ１０４乃至１１０に進む。
【００８１】
ここで、処理部７０は、カメラ機能が起動中であって、撮影前のプレビューが表示されているときに、回転ダイヤル部４１が回転操作されたときには、図９に示すテーブルを参照し、回転角度に応じた動作を実行する。
【００８２】
具体的には、処理部７０は、ステップＳ１０２及びと１０３において、無操作時（０°又は３６０°）を基準として、回転ダイヤル部４１が一定方向に４５°回転されたことが検出されると、ステップＳ１０４に進み、「本体メモリ保存」のメニューが選択されたとして、後述するステップＳ１１２の撮影後処理の処理内容として撮影画像（撮影データ）を携帯電話機１の本体メモリに保存する処理内容に設定する。
【００８３】
また、処理部７０は、回転ダイヤル部４１が一定方向に９０°回転されたことが検出されると、ステップＳ１０５に進み、「メモリカード保存」のメニューが選択されたとして、後述するステップＳ１１２の撮影後処理の処理内容として撮影画像（撮影データ）を着脱可能なメモリカードに保存する処理内容に設定する。
【００８４】
また、処理部７０は、回転ダイヤル部４１が一定方向に１３５°回転されたことが検出されると、ステップＳ１０６に進み、「未設定」のメニューが選択されたとして、後述するステップＳ１１２の撮影後処理の動作を行わない処理内容に設定する。
【００８５】
また、処理部７０は、回転ダイヤル部４１が一定方向に１８０°回転されたことが検出されると、ステップＳ１０７に進み、「ムービー」のメニューが選択されたとして、後述するステップＳ１１２の撮影後処理の処理内容としてムービー撮影を開始する処理内容に設定する。
【００８６】
また、処理部７０は、回転ダイヤル部４１が一定方向に２２５°回転されたことが検出されると、ステップＳ１０８に進み、「連写」のメニューが選択されたとして、後述するステップＳ１１２の撮影後処理の処理内容として連写撮影を開始する処理内容に設定する。
【００８７】
また、処理部７０は、回転ダイヤル部４１が一定方向に２７０°回転されたことが検出されると、ステップＳ１０９に進み、「タイマー撮影」のメニューが選択されたとして、後述するステップＳ１１２の撮影後処理の処理内容としてタイマー撮影を開始する処理内容に設定する。
【００８８】
また、処理部７０は、回転ダイヤル部４１が一定方向に３１５°回転されたことが検出されると、ステップＳ１１０に進み、「バーコードリーダー撮影」のメニューが選択されたとして、後述するステップＳ１１２の撮影後処理の処理内容としてバーコード認識を開始する処理内容に設定する。
【００８９】
このように、ステップＳ１０４〜ステップＳ１１０にて、撮影後処理（ステップＳ１１２での処理）の内容が回転ダイヤル部４１の回転操作により選択されたメニューに応じて設定された後に、ステップＳ１１１にて撮影キー（決定キー）の押下が検出されると、ステップＳ１１２に進み、選択されたメニューに応じてステップＳ１０４〜ステップＳ１１０にて設定された撮影後処理が実行される。
【００９０】
つぎに、カメラ機能が起動中であって、撮影後の画像が表示されているときに、回転ダイヤル部４１が操作された場合に、参照されるテーブルの内容について図１０を用いて説明する。
【００９１】
処理部７０は、カメラ機能が起動中であって、被写体が撮影された後、回転ダイヤル部４１が回転操作されて回転角度に応じた各設定に割り当てられているメニューが選択されたときには、図１０に示すテーブルを参照し、回転角度に応じた動作（メニュー機能）を実行する。具体的には、処理部７０は、無操作時（０°又は３６０°）を基準として、回転ダイヤル部４１が一定方向に４５°回転されて、決定操作がされたときには、表示されている撮影画像の撮影データを本体メモリに保存する。また、処理部７０は、回転ダイヤル部４１が一定方向に９０°回転されて、決定操作がされたときには、同撮影データを携帯電話機１の本体に着脱可能なメモリカードに保存する。
【００９２】
また、処理部７０は、回転ダイヤル部４１が一定方向に１３５°回転されて、決定操作がされたときには、メールアプリケーションを起動し、表示されている撮影データを添付したメール作成画面を表示する。
【００９３】
また、処理部７０は、回転ダイヤル部４１が一定方向に１８０°回転されて、決定操作がされたときには、赤外線アプリケーションを起動し、表示されている撮影データを赤外線通信により外部通信機器へ送信することを可能とする。
【００９４】
また、処理部７０は、回転ダイヤル部４１が一定方向に２２５°回転されて、決定操作がされたときには、表示されている撮影データを編集（例えば、撮影データの拡大・縮小等）する編集画面を表示する。
【００９５】
また、処理部７０は、回転ダイヤル部４１が一定方向に２７０°回転されて、決定操作がされたときには、アドレス帳アプリケーションを起動し、表示されている撮影データ（例えば、顔画像）をアドレス帳に登録されているユーザデータのうちの選択されたユーザデータに追加登録する。
【００９６】
また、処理部７０は、回転ダイヤル部４１が一定方向に３１５°回転されて、決定操作がされたときには、カレンダーアプリケーションを起動し、表示されている撮影データ（例えば、顔画像）をカレンダーデータのうちの選択されたカレンダーデータに追加登録する。
【００９７】
なお、処理部７０は、回転ダイヤル部４１が一定方向に３６０°回転されて、決定操作がされたときには、動作を行わない。
【００９８】
＜ステップＳ１３の工程の詳細動作＞
ここで、上述したステップＳ１３の工程でデータフォルダ機能に関するアプリケーションが起動された後に、回転ダイヤル部４１が回転動作されたときの処理部７０の詳細な動作について図１１（ステップＳ１２１乃至ステップＳ１３２）を用いて説明する。
【００９９】
ステップＳ１２１において、処理部７０は、フォト再生機能を発揮し、データフォルダ内のデータをサムネイル表示する。
【０１００】
ステップＳ１２２において、処理部７０は、回転ダイヤル部４１の回転動作を検出する。
【０１０１】
ステップＳ１２３において、処理部７０は、ステップＳ１２２の工程による検出結果から、回転ダイヤル部４１の各設定位置のいずれかが選択位置Ｓに合わせられて、各設定位置に割り当てられているいずれかのメニューが選択されたか否かを判断する。メニューが選択されていないと判断した場合（Ｎｏ）には、ステップＳ１２２に戻り、メニューが選択されたと判断した場合（Ｙｅｓ）には、選択されたメニューに応じてステップＳ１２４乃至１３０に進む。その後、決定キーが押下され（ステップＳ１３１）、決定後処理が行われる（ステップＳ１３２）。
【０１０２】
ここで、処理部７０は、データフォルダ機能が起動中に、回転ダイヤル部４１が回転操作されたときには、図１２に示すテーブルを参照し、回転角度に応じた動作を実行する。
【０１０３】
具体的には、処理部７０はステップＳ１２２及びステップＳ１２３において、無操作時（０°又は３６０°）を基準として、回転ダイヤル部４１が一定方向に４５°回転されたことが検出されると、ステップＳ１２４に進み、「壁紙登録」のメニューが選択されたとして、後述するステップＳ１３２の表示されている決定後処理の処理内容として、表示されている画像を壁紙（待受画面の背景）として登録する処理内容に設定する。
【０１０４】
また、処理部７０は、回転ダイヤル部４１が一定方向に９０°回転されたことが検出されると、ステップＳ１２５に進み、「メールアプリケーションの起動」のメニューが選択されたとして、後述するステップＳ１３２の決定後処理の処理内容として、表示されている画像を添付したメール作成画面に貼り付ける処理内容に設定する。
【０１０５】
また、処理部７０は、回転ダイヤル部４１が一定方向に１３５°回転されたことが検出されると、ステップＳ１２６に進み、「赤外線アプリレーションの起動」のメニューが選択されたとして、後述するステップＳ１３２の決定後処理の処理内容として、赤外線アプリケーションを起動して、表示されている画像を赤外線通信により外部へ送信する処理内容に設定する。
【０１０６】
また、処理部７０は、回転ダイヤル部４１が一定方向に１８０°回転されたことが検出されると、ステップＳ１２７に進み、「編集」のメニューが選択されたとして、後述するステップＳ１３２の決定後処理の処理内容として、表示されている画像を編集（例えば、撮影データの拡大・縮小等）する編集画面に遷移させる処理内容に設定する。
【０１０７】
また、処理部７０は、回転ダイヤル部４１が一定方向に２２５°回転されたことが検出されると、ステップＳ１２８に進み、「アドレス帳アプリケーションの起動」のメニューが選択されたとして、後述するステップＳ１３２の決定後処理の処理内容として、表示されている画像をアドレス帳に追加する設定画面に遷移させる処理内容に設定する。
【０１０８】
また、処理部７０は、回転ダイヤル部４１が一定方向に２７０°回転されたことが検出されると、ステップＳ１２９に進み、「カレンダーアプリケーションの起動」のメニューが選択されたとして、後述するステップＳ１３２の決定後処理の処理内容として、表示されている画像をカレンダーデータに保存する設定画面へ遷移する理内容に設定する。
【０１０９】
また、処理部７０は、回転ダイヤル部４１が一定方向に３１５°回転されたことが検出されると、ステップＳ１３０に進み、「データ移動」のメニューが選択されたとして、後述するステップＳ１３２の決定後処理のながされたときには、表示されている画像を別の場所、例えば、データフォルダから着脱可能なメモリへ移動する処理内容に設定する。
【０１１０】
＜メール機能＞
つぎに、上述したステップＳ５の工程でメール機能に関するアプリケーションが起動された後に、回転ダイヤル部４１が操作された場合に参照されるテーブルの内容について図１３を用いて説明する。
【０１１１】
処理部７０は、メール機能が起動中において、回転ダイヤル部４１が回転操作されたときには、図１３に示すテーブルを参照し、回転角度に応じて、決定キー押下後の処理内容を設定する。処理部７０は、無操作時（０°又は３６０°）を基準として、回転ダイヤル部４１が一定方向に４５°回転されていることが検出されたときには、決定操作後の処理内容として、ディスプレイ２１に一覧表示されているメールリストの中でカーソル選択等により特定されているメールに対する返信メールを作成する処理内容が設定される。
【０１１２】
また、処理部７０は、回転ダイヤル部４１が一定方向に９０°回転されていることが検出されたときには、決定操作後の処理内容として、ディスプレイ２１に一覧表示されているメールリストの中でカーソル選択等により特定されているメールの転送メールを作成する処理内容が設定される。
【０１１３】
また、処理部７０は、回転ダイヤル部４１が一定方向に１３５°回転されていることが検出されたときには、決定操作後の処理内容として、ディスプレイ２１に一覧表示されているメールリストの中でカーソル選択等により特定されているメールの相手をアドレス帳に登録する処理内容が設定される。
【０１１４】
また、処理部７０は、回転ダイヤル部４１が一定方向に１８０°回転されていることが検出されたときには、決定操作後の処理内容として、ディスプレイ２１に一覧表示されているメールリストの中でカーソル選択等により特定されているメールのアドレスを表示する処理内容が設定される。
【０１１５】
また、処理部７０は、回転ダイヤル部４１が一定方向に２２５°回転されていることが検出されたときには、決定操作後の処理内容として、ディスプレイ２１に一覧表示されているメールリストの中でカーソル選択等により特定されているメールの保護処理（削除できないように保護する処理）を行う処理内容が設定される。
【０１１６】
また、処理部７０は、回転ダイヤル部４１が一定方向に２７０°回転されていることが検出されたときには、決定操作後の処理内容として、ディスプレイ２１に一覧表示されているメールリストの中でカーソル選択等により特定されているメールのアドレスを迷惑メールアドレスとして登録する処理内容が設定される。
【０１１７】
また、処理部７０は、回転ダイヤル部４１が一定方向に３１５°回転されていることが検出されたときには、決定操作後の処理内容として、ディスプレイ２１に一覧表示されているメールリストの中でカーソル選択等により特定されているメールを削除する処理内容が設定される。
【０１１８】
＜カレンダー機能＞
つぎに、上述したステップＳ７の工程でカレンダー機能に関するアプリケーションが起動された後に、回転ダイヤル部４１が操作された場合に参照されるテーブルの内容について図１４を用いて説明する。
【０１１９】
処理部７０は、カレンダー機能が起動中において、回転ダイヤル部４１が回転操作されたときには、図１４に示すテーブルを参照し、回転角度に応じて、決定キー押下後の処理内容を設定する。具体的には、処理部７０は、無操作時（０°又は３６０°）を基準として、回転ダイヤル部４１が一定方向に４５°回転されていることが検出されているときには、決定操作後の処理内容として、ディスプレイ２１に一覧表示されているスケジュールリストの中でカーソル選択等により、特定されているスケジュールデータに登録されている相手の第１電話番号へ発呼を行う処理内容が設定される。
【０１２０】
また、処理部７０は、回転ダイヤル部４１が一定方向に９０°回転されていることが検出されているときには、決定操作後の処理内容として、ディスプレイ２１に一覧表示されているスケジュールリストの中でカーソル選択等により、特定されているスケジュールデータに登録されている相手の第１電話番号へテレビ電話接続（発呼）を行う処理内容が設定される。
【０１２１】
また、処理部７０は、回転ダイヤル部４１が一定方向に１３５°回転されていることが検出されているときには、決定操作後の処理内容として、ディスプレイ２１に一覧表示されているスケジュールリストの中でカーソル選択等により、特定されているスケジュールデータに登録されている相手の第１メールアドレスに対するメール作成画面を表示する処理内容が設定される。
【０１２２】
また、処理部７０は、回転ダイヤル部４１が一定方向に１８０°回転されていることが検出されているときには、決定操作後の処理内容として、ディスプレイ２１に一覧表示されているスケジュールリストの中でカーソル選択等により、特定されているスケジュールデータに撮影画像を登録するためにカメラ機能を起動する処理内容が設定される。
【０１２３】
また、処理部７０は、回転ダイヤル部４１が一定方向に２２５°回転されていることが検出されているときには、決定操作後の処理内容として、ディスプレイ２１に一覧表示されているスケジュールリストの中でカーソル選択等により、特定されているスケジュールデータに位置情報を登録するために、処理内容が設定されるＧＰＳ（ｇｌｏｂａｌ  ｐｏｓｉｔｉｏｎｉｎｇ  ｓｙｓｔｅｍ）機能により位置情報を生成する。
【０１２４】
また、処理部７０は、回転ダイヤル部４１が一定方向に２７０°回転されていることが検出されているときには、決定操作後の処理内容として、ディスプレイ２１に一覧表示されているスケジュールリストの中でカーソル選択等により、特定されているスケジュールデータの編集（例えば、スケジュールの追加、変更等）する画面を表示する処理内容が設定される。
【０１２５】
また、処理部７０は、回転ダイヤル部４１が一定方向に３１５°回転されていることが検出されているときには、決定操作後の処理内容として、ディスプレイ２１に一覧表示されているスケジュールリストの中でカーソル選択等により、特定されているスケジュールデータの削除を行う処理内容が設定される。
【０１２６】
＜アドレス帳機能＞
つぎに、上述したステップＳ１５の工程でアドレス帳機能に関するアプリケーションが起動された後に、回転ダイヤル部４１が操作された場合に選択されるテーブル内容について図１５を用いて説明する。
【０１２７】
処理部７０は、アドレス帳機能が起動中において、回転ダイヤル部４１が回転操作されたときには、図１５に示すテーブルを参照し、回転角度応じて、決定キー押下後の処理内容を設定する。具体的には、処理部７０は、無操作時（０°又は３６０°）を基準として、回転ダイヤル部４１が一定方向に４５°回転されているが検出されているときには、決定操作後の処理内容として、ディスプレイ２１に一覧表示されているアドレスリストの中でカーソル選択等により、特定されているアドレスデータに登録されている第１電話番号へ発呼を行う処理内容が設定される。
【０１２８】
また、処理部７０は、回転ダイヤル部４１が一定方向に９０°回転されて、決定操作後の処理内容として、ディスプレイ２１に一覧表示されているアドレスリストの中でカーソル選択等により、特定されているアドレスデータに登録されている第１電話番号へテレビ電話接続（発呼）を行う処理内容が設定される。
【０１２９】
また、処理部７０は、回転ダイヤル部４１が一定方向に１３５°回転されて、決定操作後の処理内容として、ディスプレイ２１に一覧表示されているアドレスリストの中でカーソル選択等により、特定されているアドレスデータに登録されている第１メールアドレスに対するメール作成画面を表示する処理内容が設定される。
【０１３０】
また、処理部７０は、回転ダイヤル部４１が一定方向に１８０°回転されて、決定操作後の処理内容として、ディスプレイ２１に一覧表示されているアドレスリストの中でカーソル選択等により、特定されているアドレスデータに撮影データを登録するためにカメラ機能を起動する処理内容が設定される。
【０１３１】
また、処理部７０は、回転ダイヤル部４１が一定方向に２２５°回転されて、決定操作後の処理内容として、ディスプレイ２１に一覧表示されているアドレスリストの中でカーソル選択等により、特定されているアドレスデータに位置情報を登録するためにＧＰＳ（ｇｌｏｂａｌ  ｐｏｓｉｔｉｏｎｉｎｇ  ｓｙｓｔｅｍ）機能により位置情報を生成する処理内容が設定される。
【０１３２】
また、処理部７０は、回転ダイヤル部４１が一定方向に２７０°回転されて、決定操作後の処理内容として、ディスプレイ２１に一覧表示されているアドレスリストの中でカーソル選択等により、特定されているアドレスデータの編集（例えば、アドレスに登録されている名前の修正等）する画面を表示する処理内容が設定される。
【０１３３】
また、処理部７０は、回転ダイヤル部４１が一定方向に３１５°回転されて、決定操作後の処理内容として、ディスプレイ２１に一覧表示されているアドレスリストの中でカーソル選択等により、特定されているアドレスデータの削除を行う処理内容が設定される。
【０１３４】
このようにして、本発明では、以下の効果を奏する。
１．本発明では、回転ダイヤル部４１の入力状態を判定することにより、次の遷移先（決定操作後の処理内容）を決定できるため、ツリー構造に関係なく、遷移したい状態に決定キーの操作によりダイレクトで遷移できる。
２．本発明では、回転ダイヤル部４１の状態（決定操作後の処理内容）を表示するものが、画面だけでなく画面とキーで表示するので、見た目に分かりやすく、ユーザに容易に理解させることができる。
３．本発明では、回転ダイヤル部４１で起動されているアプリケーションに応じた「使いたい機能」を選択できるので、多機能化した携帯電話機１をシンプルに使うことができる。
４．本発明では、写真撮影（カメラ起動）時に回転ダイヤル部４１により「データフォルダ」を選択することにより、決定キー等の押下により、撮影後の画像をデータフォルダに保存することができる。
５．本発明では、画像を見ている（表示している）時に回転ダイヤル部４１により「メール」を選択すると、決定キー等の押下により、表示している画像を添付したメールの作成画面に遷移することができる。
６．本発明では、回転ダイヤル部４１により「カメラ（又は赤外線）」を選択し、決定キー等を押下することにより、現在の状態に関係なくカメラ（又は赤外線）機能を起動させることができる。
７．本発明では、回転ダイヤル部４１による入力状態を考慮するので、決まった操作方法により最適な状態へ遷移することができ、操作が容易である。つまり、決定キーの押下といった同一の操作により、回転ダイヤル部４１の状態に応じて起動されているアプリケーションに応じた任意の処理を迅速にかつ容易に操作することができる。
８．本発明では、目的の状態へダイレクトに遷移するので、操作速度が向上する。
【０１３５】
なお、本実施形態において、回転ダイヤル部４１の回転量に基づいて、起動すべきアプリケーションや起動しているアプリケーションに対応した処理（メニュー）を特定する例を示したが、これに限定されるものではない。すなわち、いかなる回転状態かさえ判定できれば良く、変動量を検出する他に、例えば、最終的な回転位置だけを検出するような構成であっても良い。そして、テーブル１１０にて最終的な回転位置にそれぞれアプリケーションや起動しているアプリケーションに対応した処理（メニュー）を対応付けて記憶しておけば、これを参照することにより、特定された位置に応じたアプリケーションを起動したり、起動中のアプリケーションに対応して処理を設定するように構成することもできる。
【０１３６】
さらには、回転が生じてから最終的な回転位置に至るまでの時間の計測を行うことで、速い回転であるか、遅い回転であるかを判別できるように構成し、これに応じて起動するアプリケーション等を変化させるように構成しても良い。この場合、テーブル１１０に回転時間ごとの起動するアプリケーション等を対応付けて記億しておき、回転が生じてから回転が停止されるまでの時間をテーブル参照することで、例えば、同じ位置までの回転であっても回転速度の相違によって異なるアプリケーションの起動等を行なえるようにすることも可能である。
【０１３７】
＜その他の実施例＞
上述した実施例では、回転ダイヤル部４１を利用した一実施例を示したものであって、これに限定されない。例えば、携帯電話機１は、テキストエディタ（テキストファイルを作成、編集、保存するためのソフトウェアプログラム）を使用しているときに、編集補助機能を回転ダイヤル部４１に割り当てても良い。
【０１３８】
ここで、回転ダイヤル部４１を用いてテキストエディタの編集を行う方法について図１６に示すフローチャートと、図１７に示す参照テーブルの内容を用いて説明する。なお、以下では、所定の操作によってテキストエディタが起動しているものとする。
【０１３９】
ステップＳ２０１において、処理部７０は、回転ダイヤル部４１の回転動作を検出する。
【０１４０】
ステップＳ２０２において、処理部７０は、テンキー（入力操作ボタン１４）による入力の有無を検出する。入力される文字を決定するための決定キーとしてのテンキーによる入力があった場合（Ｙｅｓ）には、ステップＳ２０１の工程による検出結果にしたがって、ステップＳ２０３乃至ステップＳ２１０に進み、テンキーによる入力がなかった場合（Ｎｏ）には、ステップＳ２０１に戻る。
【０１４１】
ここで、処理部７０は、テキストエディタが起動中であって、テンキーの入力があったときに、回転ダイヤル部４１の各設定位置のうち選択位置Ｓに合わせられている設定位置を検出し、回転ダイヤル部４１が回転状態（選択されている設定位置）に基づき、図１７に示すテーブルを参照し、回転角度に応じた動作を実行する。
【０１４２】
具体的には、処理部７０は、テンキーの入力があったときに、図１７に示すテーブルを参照し、回転ダイヤル部４１が無操作又は１回転操作（０°又は３６０°）の場合には、別途設定されている文字種設定により設定されている文字種の入力を行なう（ステップＳ２０３）。また、処理部７０は、決定操作ボタン１５の上下キーが押下されることにより、仮入力されている文字の変換処理を実行し、決定操作ボタン１５のセンターキーが押下されることにより（ステップＳ２１１）、仮入力されている文字が確定する（ステップＳ２１２）。
【０１４３】
また、処理部７０は、回転ダイヤル部４１が一定方向に４５°回転されている状態でテンキーの入力があったときには、テンキーに割り当てられている文字をひらがなで入力を行う（ステップＳ２０４）。また、処理部７０は、決定操作ボタン１５の上下キーが押下されることにより、仮入力されている文字の変換処理を実行し、決定操作ボタン１５のセンターキーが押下されることにより（ステップＳ２１１）、仮入力されている文字が確定する（ステップＳ２１２）。
【０１４４】
また、処理部７０は、回転ダイヤル部４１が一定方向に９０°回転されている状態でテンキーの入力があったときには、テンキーに割り当てられている文字をカタカナで入力を行う（ステップＳ２０５）。また、処理部７０は、決定操作ボタン１５の上下キーが押下されることにより、仮入力されている文字の変換処理を実行し、決定操作ボタン１５のセンターキーが押下されることにより（ステップＳ２１１）、仮入力されている文字が確定する（ステップＳ２１２）。
【０１４５】
また、処理部７０は、回転ダイヤル部４１が一定方向に１３５°回転されている状態でテンキーの入力があったときには、テンキーに割り当てられている英字で入力を行う（ステップＳ２０６）。また、処理部７０は、決定操作ボタン１５の上下キーが押下されることにより、仮入力されている文字の変換処理を実行し、決定操作ボタン１５のセンターキーが押下されることにより（ステップＳ２１１）、仮入力されている文字が確定する（ステップＳ２１２）。
【０１４６】
また、処理部７０は、回転ダイヤル部４１が一定方向に１８０°回転されている状態でテンキーの入力があったときには、テンキーに割り当てられている数字で入力を行う（ステップＳ２０７）。また、処理部７０は、決定操作ボタン１５の上下キーが押下されることにより、仮入力されている文字の変換処理を実行し、決定操作ボタン１５のセンターキーが押下されることにより（ステップＳ２１１）、仮入力されている文字が確定する（Ｓ２１２）。
【０１４７】
また、処理部７０は、回転ダイヤル部４１が一定方向に２２５°回転されている状態でテンキーの入力があったときには、テンキーの押下により入力されるコード番号に対応した絵文字の入力を行う（ステップＳ２０８）。また、処理部７０は、決定操作ボタン１５の上下キーが押下されることにより、仮入力されている文字の変換処理を実行し、決定操作ボタン１５のセンターキーが押下されることにより（ステップＳ２１１）、仮入力されている文字が確定する（ステップＳ２１２）。
【０１４８】
また、処理部７０は、回転ダイヤル部４１が一定方向に２７０°回転されている状態でテンキーの入力があったときには、テンキーに割り当てられている記号で入力を行う（ステップＳ２０９）。また、処理部７０は、決定操作ボタン１５の上下キーが押下されることにより、仮入力されている文字の変換処理を実行し、決定操作ボタン１５のセンターキーが押下されることにより（ステップＳ２１１）、仮入力されている文字が確定する（ステップＳ２１２）。
【０１４９】
また、処理部７０は、回転ダイヤル部４１が一定方向に３１５°回転されている状態でテンキーの入力があったときには、入力されたテンキーに割り振られている文字サイズに応じて文字サイズの仮設定を行い、これまでに入力されてディスプレイ２１の画面上に表示されている文字を、仮設定された文字サイズの大きさに変更して表示する（ステップＳ２１０）。また、処理部７０は、決定操作ボタン１５のセンターキーが押下されることにより（ステップＳ２１１）、仮設定されている文字サイズを確定する（ステップＳ２１２）。例えば、処理部７０は、テンキーの「１」が印刷されているキーが押下された場合には、文字サイズを極小サイズに変更し、テンキーの「２」が印刷されているキーが押下された場合には、文字サイズを小サイズに変更し、テンキーの「３」が印刷されているキーが押下された場合には、文字サイズを中サイズにし、テンキーの「４」が印刷されているキーが押下された場合には、文字サイズを大サイズに変更し、テンキーの「５」が印刷されているキーが押下された場合には、文字サイズを極大サイズに変更する。
【０１５０】
このように、本発明では、回転ダイヤル部４１の回転状態に応じて入力文字種等の選択が行われ、テンキー（決定キー）の入力により任意の文字入力が行われる。そして、本発明では、文字入力時の文字種や文字サイズ等の各種変更を回転ダイヤル部４１により容易に行うことができ、所望の文字を容易かつスムーズに入力することができ、文字入力操作性を向上できる。
【図面の簡単な説明】
【０１５１】
【図１】本発明に係る携帯電話機の外観を示す図である。
【図２】携帯電話機の閉状態における表示部側筐体部から見たときの外観を示す図である。
【図３】携帯電話機の閉状態における操作部側筐体部から見たときの外観を示す図である。
【図４】回転ダイヤル部付近を拡大したときの図である。
【図５】回転ダイヤル部の機能についての説明に供する図である。
【図６】携帯電話機の機能を示す機能ブロック図である。
【図７】回転ダイヤル部を用いて行われる各種のアプリケーション及びメニューの選択操作についての説明に供するフローチャートである。
【図８】図７に示すフローチャートのステップＳ４の工程でカメラ機能が選択されているときに、回転ダイヤル部が回転動作されたときの処理部の詳細な動作についての説明に供するフローチャートである。
【図９】カメラ機能が起動中であって、撮影前のプレビューが表示されているときに、回転ダイヤル部が回転操作されたときに参照されるテーブルの内容を示す模式図である。
【図１０】カメラ機能が起動されているときに回転ダイヤル部が操作された場合に参照される
【図１１】図７に示すフローチャートのステップＳ１３の工程でデータフォルダ機能が選択されているときに、回転ダイヤル部が回転動作されたときの処理部の詳細な動作についての説明に供するフローチャートである。
【図１２】データフォルダ機能が起動中に、回転ダイヤル部が回転操作されたときに参照されるテーブルの内容を示す模式図である。
【図１３】図７に示すフローチャートのステップＳ５の工程でメール機能が選択されているときに、回転ダイヤル部が操作された場合に参照されるテーブルの内容を示す模式図である。
【図１４】図７に示すフローチャートのステップＳ７の工程でカレンダー機能が選択されているときに、回転ダイヤル部が操作された場合に参照されるテーブルの内容を示す模式図である。
【図１５】図７に示すフローチャートのステップＳ１５の工程でアドレス帳機能が選択されているときに、回転ダイヤル部が操作された場合に参照されるテーブルの内容を示す模式図である。
【図１６】回転ダイヤル部を用いてテキストエディタの編集を行う方法についての説明に供するフローチャートである。
【図１７】テキストエディタが起動されているときに、回転ダイヤル部が操作された場合に参照されるテーブルの内容を示す模式図である。
【符号の説明】
【０１５２】
１  携帯電話機
２  操作部側筐体部
３  表示部側筐体部
４  ヒンジ機構
１１  操作キー群（入力操作部）
４１  回転ダイヤル部（外部操作部）
７０  処理部
２０１  アプリケーション実行部
２０２  操作部（操作手段）
２０３  操作制御部（操作制御手段）
２０４  表示制御部
【図１】
2010056972.tif 000003
【図２】
2010056972.tif 000004
【図３】
2010056972.tif 000005
【図４】
2010056972.tif 000006
【図５】
2010056972.tif 000007
【図６】
2010056972.tif 000008
【図７】
2010056972.tif 000009
【図８】
2010056972.tif 000010
【図９】
2010056972.tif 000011
【図１０】
2010056972.tif 000012
【図１１】
2010056972.tif 000013
【図１２】
2010056972.tif 000014
【図１３】
2010056972.tif 000015
【図１４】
2010056972.tif 000016
【図１５】
2010056972.tif 000017
【図１６】
2010056972.tif 000018
【図１７】
2010056972.tif 000019